(57)【要約】　　　（修正有）【課題】株式売買注文などの執行及び管理の効率化及び大幅な事務作業の削減を行うことができ、また、特殊な条件での株式売買注文にも迅速に対応することができる売買注文自動発注装置を提供する。【解決手段】本発明の売買注文自動発注装置１０は、電話応答部１１と、ネットワーク処理部１２と、制御部１３と、トリガＤＢ１４と、発注処理部１７と、を備えている。複雑な注文条件をトリガ項目として指定し、これらの項目を論理的に結合して自動的に売買注文をすることができるようにしたので、株式などの注文処理でシステマティックな対応が可能となり、将来的に拡大が予想される証券取引などの電子化を促すことができる。【選択図】図１
2004005554.tif 000002
【特許請求の範囲】
【請求項１】
発注条件を付した売買注文を取引市場に発注する売買注文自動発注装置であって、
前記売買注文に付された発注条件をトリガとして記憶するトリガ記憶手段と、
前記トリガとして指定された条件項目を監視して、前記条件項目が前記トリガに合致したと判定すると、前記売買注文を取引市場システムに対して発注する発注執行装置に対して前記売買注文を発注するための指示信号を送信する発注処理手段と、
を備えていて、
前記指示信号には、前記売買注文についての注文伝票の内容を記憶する売買注文記憶装置に記憶された注文伝票の内容に基づいて、前記売買注文を発注する指示が含まれることを特徴とする売買注文自動発注装置。
【請求項２】
前記売買注文記憶装置において、発注条件を付した売買注文を受け付けると前記売買注文についてのステイタスが発注処理待機と記憶され、前記指示信号には、前記ステイタスを発注処理可と変更する指示が含まれていることを特徴とする請求項１記載の売買注文自動発注装置。
【請求項３】
前記発注条件には、前記取引市場における取引価格、前記取引市場における出来高、時間、売買注文の約定の少なくとも一つに関する条件が含まれており、
前記発注処理手段は、前記発注条件に含まれる前記取引市場における取引価格、前記取引市場における出来高、時間、売買注文の約定のいずれかを条件項目として監視することを特徴とする請求項１又は２記載の売買注文自動発注装置。
【請求項４】
前記トリガ記憶手段には前記トリガとして複数のトリガ項目が指定されていて、
前記発注処理手段は、全てのトリガ項目について前記条件項目が合致したと判定すると、前記指示信号を送信することを特徴とする請求項１乃至３いずれかに記載の売買注文自動発注装置。
【発明の詳細な説明】
【０００１】
【発明の属する技術分野】
本発明は、株式や債券などの有価証券や先物取引商品などの売買の注文を市場に自動的に発注する売買注文自動発注装置に関し、特に、インターネットや電話回線網を利用して売買の注文を市場に自動的に発注する売買注文自動発注装置に関するものである。
【０００２】
【従来の技術】
一般に、株式や債券などの有価証券は、企業にとっては資金の調達手段であり、出資者にとっては投資の手段である。そして、証券取引所や店頭市場が株式の流通の場となっている。従来から、一般の投資家がこれら株式などを売買する場合、株式の売買条件を証券会社などに通知して、証券会社を通じて行っている。
【０００３】
一方、近年、ＷＷＷ（Ｗｏｒｌｄ　Ｗｉｄｅ　Ｗｅｂ）の普及に伴いインターネットが急速に普及している。最近になって、このインターネットなどのコンピュータネットワークを利用して株式などの売買を自動的に受注して行うことが検討され、実際にインターネットを利用した株式売買の受注なども行われている。
【０００４】
【発明が解決しようとする課題】
しかしながら、現在実際に行われているインターネットを利用した株式売買の受注においては、特殊売買注文などの複雑な条件を伴なった取引に関する注文の執行は、売買執行担当者が個別管理によってすべて手作業で行っていたため、複雑な処理を必要とする株式売買注文に関しては、処理項目が多義に渡り、発注から約定にいたる事務処理が膨大となって、受注能力に限界が生じて全ての受注要求に対応することが困難であるという問題があった。
【０００５】
従って、本発明の目的は、株式売買注文などの執行及び管理の効率化及び大幅な事務作業の削減を行うことができ、また、特殊な条件での株式売買注文にも迅速に対応することができる売買注文自動発注装置を提供することである。
【０００６】
【課題を解決するための手段】
上記課題を解決するため、本発明の売買注文自動発注装置は、発注条件を付した売買注文を取引市場に発注する売買注文自動発注装置であって、前記売買注文に付された発注条件をトリガとして記憶するトリガ記憶手段と、前記トリガとして指定された条件項目を監視して、前記条件項目が前記トリガに合致したと判定すると、前記売買注文を取引市場システムに対して発注する発注執行装置に対して前記売買注文を発注するための指示信号を送信する発注処理手段と、を備えていて、前記指示信号には、前記売買注文についての注文伝票の内容を記憶する売買注文記憶装置に記憶された注文伝票の内容に基づいて、前記売買注文を発注する指示が含まれることを特徴とする。
【０００７】
また、本発明は、前記売買注文記憶装置において、発注条件を付した売買注文を受け付けると前記売買注文についてのステイタスが発注処理待機と記憶され、前記指示信号には、前記ステイタスを発注処理可と変更する指示が含まれていることを特徴とすることもできる。
【０００８】
さらに、本発明は、前記発注条件には、前記取引市場における取引価格、前記取引市場における出来高、時間、売買注文の約定の少なくとも一つに関する条件が含まれており、前記発注処理手段は、前記発注条件に含まれる前記取引市場における取引価格、前記取引市場における出来高、時間、売買注文の約定のいずれかを条件項目として監視することを特徴とすることもできる。
【０００９】
さらに、本発明は、前記トリガ記憶手段には前記トリガとして複数のトリガ項目が指定されていて、前記発注処理手段は、全てのトリガ項目について前記条件項目が合致したと判定すると、前記指示信号を送信することを特徴とすることもできる。
【００１０】
このように、売買条件に基づいて売買の発注条件をトリガとして設定し、このトリガが売買市場での取引状況に合致したかどうかを監視して、予めデータベースに記録された注文伝票に基づいた売買注文を発注するため、株式売買注文などの執行及び管理の効率化及び大幅な事務作業の削減を行うことができ、また、特殊な条件での株式売買注文にも迅速に対応することができる。
【００１１】
【発明の実施の形態】
以下、図面を参照して本発明の売買注文自動発注装置の実施の形態を説明する。
【００１２】
図１は、本発明の売買注文自動発注装置を備えた売買注文自動発注システムの一形態を示す図である。
【００１３】
この売買注文自動発注システムは、顧客側から株式や債券などの有価証券や先物取引商品などの売買の注文の条件（以下、単に「売買条件」ともいう）を入力する複数の顧客側端末（図１においては、顧客側端末４１〜４３のみ示す）と、これらの顧客側端末４１〜４３に接続されるインターネットなどのコンピュータネットワーク２０及び電話回線網３０と、コンピュータネットワーク２０や電話回線網３０を介して顧客側端末４１〜４３から売買条件を受け取り、当該売買条件に応じて株式などの売買の注文を発注する売買注文自動発注装置１０と、株式などの市場６０に接続され売買注文自動発注装置１０に対して市場６０の取引状況を通知すると供に、売買注文自動発注装置１０からの売買注文の発注に応じて、法定帳簿である注文伝票を作成し実際に市場６０に対して売買注文を発注する売買システム５０と、注文伝票や発注データなど記憶する発注ＤＢ５１と、を備えている。
【００１４】
ここで、顧客側端末４１〜４３は、電話機、携帯型電話機、ファクシミリ装置、ＰＣ（Ｐｅｒｓｏｎａｌ　Ｃｏｍｐｕｔｅｒ）、トレード用専用端末、家庭用ゲーム機器、携帯型小型コンピュータ装置など電話回線網３０またはコンピュータネットワーク２０を介して売買注文自動発注装置１０との間でデータの送受信を行うことができるものであればよい。
【００１５】
また、コンピュータネットワーク２０は、インターネットのほか、インターネットに接続された売買注文専用のネットワーク、独自に設けられた売買注文専用のネットワーク、イントラネットなど、オープン型・クローズ型を問わず、顧客側端末４１〜４３と売買注文自動発注装置１０との間でデータの送受信を行うことができればよい。
【００１６】
また、売買注文自動発注装置１０は、電話回線網３０を介して顧客側端末４１〜４３との間で売買条件のデータを送受信する電話応答部１１と、コンピュータネットワーク２０を介して顧客側端末４１〜４３との間で売買条件のデータを送受信するネットワーク処理部１２と、電話応答部１１及びネットワーク処理部１２からの売買条件に基づいてトリガＤＢ１４に記憶されているトリガ項目を論理的に結合させてトリガを設定すると供に、このトリガに対して固有の識別子となるトリガ番号を付し、トリガに対応したトリガ履歴確認表を作成する制御部１３と、予め売買条件の各条件をそれぞれ所定のトリガ項目として準備して記憶し、また、制御部１３で作成されたトリガ、トリガ番号及びトリガ履歴確認表をそれぞれ関連付けて記憶するトリガＤＢ１４と、売買システム５０から市場６０の取引状況を受け取り、取引状況とトリガＤＢ１４に記憶されているトリガ履歴確認表の各トリガ項目とを対応させて、所定の条件を満たしたときに売買システム５０に対して、売買の発注要求を行う発注処理部１７と、を備えている。
【００１７】
次に、図１に示した本発明の売買注文自動発注装置１０を備えた売買注文自動発注システムの動作について説明する。なお、以下の説明において具体的な一例として、顧客側端末４１は、ＰＣ（Ｐｅｒｓｏｎａｌ　Ｃｏｍｐｕｔｅｒ）であり、コンピュータネットワーク２０を介して売買注文自動発注装置１０との間でデータの送受信を行うものとし、また、コンピュータネットワーク２０は、インターネットである構成のものを説明する。また、売買取引としては、株式の売買取引を一例として説明する。
【００１８】
図２は、売買注文自動発注処理を示すフローチャートである。図１及び図２において、先ず、顧客は、顧客側端末（以下、「ＰＣ」ともいう）４１からコンピュータネットワーク（以下、「インターネット」ともいう）２０を介して、売買注文自動発注装置１０のネットワーク処理部１２に接続する（ステップ２０１）。このとき、具体的には、ＰＣ４１の画面上には、株式売買の初期画面のＨＰ（Ｈｏｍｅ　Ｐａｇｅ）が表示される。
【００１９】
次に、ＰＣ４１で株式売買の発注画面が選択された後、株式売買の発注要求が行われる。ここで、株式売買の注文に関する必要項目が入力される。また、その際には、株式売買の注文の発注要求の発生要因となるトリガ項目を設定する（ステップ２０２）。
【００２０】
図３は、株式売買の株式買い注文を入力する画面の一例を示す図である。図３において、株式買い注文入力画面は銘柄情報入力部２１０と、注文情報入力部２２０とで構成されている。
【００２１】
ここで、銘柄情報入力部２１０は、株式銘柄のコードを入力する銘柄コード欄２１１と、株式市場を指定するプルダウン式の市場変更ボタン２１２と、指定した銘柄の内容とその株価情報を表示する銘柄情報表示部２１３と、最新の株価情報、または銘柄コード欄２１１及び市場変更ボタン２１２で入力された情報に基づいて銘柄情報表示部２１３の表示情報を更新する情報更新ボタン２１４とで構成されている。
【００２２】
また、注文情報入力部２２０は、売買株数を指定する注文数量欄２２１と、売買価格と売買形態を指定する注文価格欄２２２と、売買条件を指定する注文条件欄２２３と、カレンダ表示部を有し売買の有効期日や有効期間を指定する注文期日欄２２４とで構成されている。
【００２３】
ＰＣ４１に表示された株式売買の初期画面（図示せず）において、買い注文を行う株式銘柄の銘柄コードを入力し、株式買い注文入力画面を選択すると、ＰＣ４１には、図３に示したような株式買い入力画面が表示される（ステップ２０３）。ここで、銘柄情報入力部２１０の銘柄コード欄２１１の入力ボックスに異なる銘柄コードを入力し、情報更新ボタン２１４を押す（クリックする）と、その更新信号がネットワーク処理部１２に送られる（ステップ２０４）。制御部１３は、ネットワーク処理部１２から受け取った当該更新信号に基づいて、売買システム５０を介して銘柄コード欄２１１で指定された銘柄の情報を市場６０から受け取り、この情報をネットワーク処理部１２に送る（ステップ２０５）。ネットワーク処理部１２は、更新された銘柄の情報をＰＣ４１に表示されている銘柄情報表示部２１３に表示し、新に指定された銘柄に対する注文入力の操作画面に更新する。ここで、市場変更ボタン２１２で株式の売買市場を変更して情報更新ボタン２１４を押した場合にも、銘柄情報表示部２１３の表示が更新される（ステップ２０６）。
【００２４】
ここで、銘柄情報表示部２１３には、指定された銘柄の指定された市場での株価等が表示される（ステップ２０７）。銘柄情報表示部２１３の各項目内容を以下に示す。
（１）銘柄内容の項目銘柄コード：選択された銘柄の銘柄コードが表示される。
銘　柄　名：選択された銘柄の銘柄名の略称が表示される。
売買　単位：選択された銘柄の最低売買単位が表示される。
（２）株価情報の項目市　場：初期画面（図示せず）で指定した市場又は市場変更ボタン２１２で選択（更新）された市場の表示をする。なお、以下の株価情報はここで表示されている市場の情報を提供し、注文の発注も当該市場に発注される。
始　値：選択された銘柄の市場当日の最初の株価及びその株価データの時間を表示する。
高　値：選択された銘柄の市場当日の最高株価及びその株価データの時間を表示する。
安　値：選択された銘柄の市場当日の最低株価及びその株価データの時間を表示する。
売気配値　：選択された銘柄の現在の売気配の株価及びその株価データの時間を表示する。
現　在　値：選択された銘柄の現在の売買株価及びその株価データの時間を表示する。
買気配値　：選択された銘柄の現在の買気配の株価及びその株価データの時間を表示する。
前日　終値：当該銘柄の前日の終値又は前日以前の最新の終値及びその終値データの日付を表示する。
出　来　高：選択された銘柄の市場当日の現在までの出来高及びそのデータの時間を表示する。
【００２５】
次に、以下のような注文処理が行われる（ステップ２０８）。
【００２６】
図４は、注文処理の詳細を示すフローチャートである。この注文処理は、ＰＣ４１に表示されている注文数量欄２２１において、注文数量入力ボックスに発注したい注文数量、即ち、買付け株数を入力する（ステップ２０８Ａ）。
【００２７】
ここで、ＰＣ４１に表示されている注文価格欄２２２の注文価格選択ボタン（「指値」または「成行」）で発注したい注文価格の形態を選択する。指値注文の場合は、「指値」選択ボタンを選択してそれに続く入力ボックスに指値価格を入力する。成行注文の場合は、「成行」選択ボタンを選択する。なお、「成行」を選択している場合には、指値価格の入力ができない。また、画面上でのデフォルトは、「指値」が選択されている。ここで、買付可能金額の項目には、当該顧客の現時点での株式の買付可能な金額が表示される。なお、注文入力した数量、価格から予想される買付金額は画面最下部に設けられている確認ボタン（図示せず）を押した時に表示される確認ウインドウ内に表示される。
【００２８】
また、ＰＣ４１に表示されている注文条件欄２２３では、注文する時の条件を選択ボタン（「通常」、「条件指定」または「トリガ指定」）で選択する（ステップ２０８Ｂ）。なお、画面上でのデフォルトは、「通常」が選択されている。ここで、発注時の条件に指定が無い場合は、「通常」の選択ボタンが選択され、以下の通常処理が行われる（ステップ２０８Ｃ−１）。この「通常」ボタンを選択して発注した場合は、制御部１３は、ネットワーク処理部１２から当該信号を受け取り、売買システム５０に対して、直に選択している市場６０に注文が回送されるように指示する。なお、寄付き前の発注の場合は、売買システム５０から市場６０の開局時に市場６０に注文が回送される。
【００２９】
また、「条件指定」のコンボボックスは、発注時において、注文の際に条件を指定する場合に選択する。この「条件指定」が選択されると、以下の条件指定処理が行われる（ステップ２０８Ｃ−２）
【００３０】
図５は、「条件指定」のコンボボックスの前項目と後項目の一覧とその組み合わせによる条件及び注意事項を示す図である。この図５に示した「条件指定」のコンボボックスの前項目と後項目で選択した内容に応じて、制御部１３は、売買システム５０に発注信号を送信し、売買システム５０は、この条件を注文が選択されている市場６０に回送する。ここで、「条件指定」のコンボボックスのデフォルトには、「直近場」が選択されている。
【００３１】
また、選択ボタンで「トリガ設定」が選択された場合、発注トリガの指定が行われ、以下のトリガ処理が行われる（ステップ２０８Ｃ−３）。「トリガ設定」のボタンを選択すると指定株価発注と時間指定発注のトリガ機能を利用することができる。「トリガ設定」の各項目において、空白の場合（何も指定していない場合）は、指定なしとして取り扱われる。
【００３２】
ＰＣ４１に表示された「トリガ設定」において、指定株価入力ボックスＡに目標とする株価が入力されると、ネットワーク処理部１２から制御部１３にこの値が通知される。ここで、指定できる株価の範囲は、前日終値のストップ価格の範囲内である。この範囲を超えた入力を行った場合、処理の最後に押される確認ボタン（図示せず）を押した時に、制御部１３は、ネットワーク処理部１２を介してＰＣ４１に表示する確認ウインドウにエラーを表示する。
【００３３】
また、上下選択コンボボックスＢには、目標とする株価を超えた場合（「以上」を選択）なのか、目標とする株価を下回った場合（「以下」を選択）なのかを選択する。ここで、デフォルトは、「同じ」が選択されている。この指定株価発注においては、制御部１３は、指定した株価以上または以下になった場合に、売買システム５０から注文が発注されるようにする。
【００３４】
また、時間指定コンボボックスＤには、発注したい時間を指定する。この時間指定コンボボックスＤの各値は、以下の値から選択することができる。
時：空白、９、１０、１２、１３、１４分：空白、００、１０〜５０の１０分刻みの値この時間指定発注においては、制御部１３は、指定した時間を過ぎたら、売買システム５０から注文が発注されるようにする。このとき、時・分のどちらかが空白であれば、この指定全体が無効となる。
【００３５】
また、「または／かつ」選択ボタンＣにおいて、株価及び時間の両方を選択した場合に、トリガとなる条件が片方なのか両方なのかを指定する。なお、デフォルトでは、「または」が選択されている。
【００３６】
さらに、トリガ項目の１つとして注文期日欄２２４で注文期日や期日指定をすることができる。
【００３７】
以上、トリガ項目の一例を示したが、トリガ項目としては上述の「価格」、「時間」等のほか、「出来高」、「約定」等のいろいろな条件をトリガ項目として設定することができる。発注処理部１７は、指定されたトリガ項目にトリガフラグを立て、これらトリガ項目の条件を監視してトリガフラグをクリアする機能（オーダーマネージャ）を有している。
【００３８】
また、上述した「条件指定」のコンボボックスの前項目と後項目の組み合わせによっては、トリガ設定が自動的に付与される場合がある。
【００３９】
図６は、トリガＤＢ１４に記憶されている基本オーダと条件オーダのパターンを示す図である。図６に示すように、制御部１３は、「条件指定」のコンボボックスの前項目と後項目の組み合わせに応じて、条件オーダのオーダパターンを決定し、それに応じて、対象となるトリガ項目を決定する。このとき、各トリガの設定には、制御部１３の特殊条件オーダーマネージャによって自動設定することができ、また、ＰＣ４１若しくは入力部１６から任意に設定することができる。
【００４０】
図７は、トリガ処理を示すフローチャートである。ＰＣ４１の画面上で、トリガ設定が完了する（ステップ７０１）と、制御部１３は、トリガ履歴確認表を作成し、これに「トリガ番号」を付してトリガＤＢ１４に記録する（ステップ７０２）。以後、この「トリガ番号」に基づいて、設定されたトリガを処理する。このとき、法定帳簿である注文伝票が自動作成され、売買システム５０に送られる。売買システム５０は、この法定帳簿である注文伝票を発注ＤＢ５１に記録する（ステップ７０３）。
【００４１】
ここで、設定されたトリガ項目を変更することもできる（ステップ７０４、７０５）。この場合、ＰＣ４１からのＷＷＷ上で変更することができ、また、電話連絡などに応じて、オペレータが表示部１５の表示を見て入力部１６から変更内容を入力することもできる。
【００４２】
図８は、トリガ設定の変更画面を示す図である。図８において、顧客は、ＰＣ４１の画面上から、取消、訂正及び反対売買のトリガ項目を指定することができる。設定１から設定３の各指定は全て並列（ＯＲ）条件となる。したがって、何れかの設定の条件（全トリガ項目）が満たされれば、他の設定でのトリガ項目は失効される。ここで、設定４は注文の全数量が約定した後にトリガとして機能する。また、設定１から３で設定されたトリガによって注文処理が実行された後も有効なものである。
【００４３】
設定１〜３（取消・価格訂正設定トリガ）において、各設定欄の上段部分は、図３の「トリガ設定」ボタンの機能と同じである。
【００４４】
下段部分において、「取消」ボタンを選択していると、市場６０の取引条件が上段のトリガ設定で指定された条件になった場合に、制御部１３は、注文を取り消す処理を行う。ここで、デフォルトでは、「取消」が選択されている。
【００４５】
また、「成行に訂正」ボタンを選択した場合、市場６０の取引条件が上段のトリガ設定で指定された条件になった場合、制御部１３によって、注文が成行に訂正される。
【００４６】
また、「指値」ボタンを選択した場合、市場６０の取引条件が上段のトリガ設定で指定された条件になった場合、制御部１３は、株式買い注文の注文価格欄２２２の「指値」を、指値入力ボックスに入力された指値に訂正する。
【００４７】
また、設定４（損益指定反対売買トリガ）のトリガ項目に応じて、制御部１３は、発注した注文が全て約定した際に、全約定価格から上段の利益及び損失金額入力ボックスに指定した金額分の評価損益になった場合、下段の指定した注文価格で反対売買（売り注文）を自動的に発注する。
【００４８】
上段の各ボックスは、反対売買（売り注文）する条件となる損益金額（片方、または両方を入力した場合にトリガとして機能する）を指定する入力ボックスであり、千円単位の入力となる。そして、制御部１３は、「成行で訂正」のボタンが選択されている場合、上記のボックスのいずれかの金額になった場合に成行注文を発注し、「指値で訂正」のボタンが選択されている場合、横の指値入力ボックスで入力された指値で注文を発注し、または、「その時の計算値」のボタンが選択されている場合には、トリガの条件を満たした時点の株価に対してコンボボックスの入力ボックスに入力されている価格を符号コンボ分（＋か−）で修正した指値で発注する。例えば、計算値：５００円、符号：＋、指定値幅：１０円の場合、指値は５１０円になる。
【００４９】
次に、発注処理部１７は、市場６０での取引状況を売買システム５０から受け取り、その取引状況に基づいて、制御部１３で設定されトリガＤＢ１４に記憶されている図３のトリガ設定の各トリガ項目Ａ〜Ｄや図６の各トリガ項目を監視する（ステップ７０６）。そして、発注処理部１７は、トリガＤＢに記録されているトリガ履歴確認表に基づいて、市場６０の取引状況がその設定されたトリガ条件に達した時点でトリガフラグをオフにし、設定されたトリガ条件に応じて、売買システム５０を介して注文を自動執行する（ステップ７０７）。
【００５０】
すなわち、トリガ項目で設定されたＡＮＤ条件のフラグが全てオフになると、トリガ条件が全て満たされたことになり、その注文が執行可能状態になる。このとき、他に設定されている残りのトリガ項目は全て失効される。
【００５１】
注文執行が可能となった（トリガ条件が満たされた）場合、発注処理部１７は、発注ＤＢの「注文」項目のステイタスを「待機」から「処理可」に変更するように売買システムに指示信号を送出する。売買システム５０は、発注ＤＢに記憶されている法定帳簿である注文伝票の注文内容に基づいて、市場６０に対して注文の発注を自動的に執行する。
【００５２】
以上、本発明の実施の一形態を説明したが、顧客側端末４１〜４３においてＰＣの代りに電話機などを使用して、電話応答部１１の自動音声応答などによって、上述した処理を実行することができる。
【００５３】
また、市場６０は、株式市場以外の取引市場などでもよく、上述の買い注文を売り注文として処理することもできる。
【００５４】
【発明の効果】
以上述べた通り、本発明の売買注文自動発注装置によれば、複雑な注文条件をトリガ項目として指定し、これらの項目を論理的に結合して自動的に売買注文をすることができるようにしたので、株式などの注文処理でシステマティックな対応が可能となり、将来的に拡大が予想される証券取引などの電子化を促すことができるようになった。
【００５５】
また、これまで売買執行担当者が手作業で行っていた複雑な注文執行に関して、その全ての処理においてシステマティックな対応が可能となり、大幅な合理化を行うことができると同時に、人為的な処理のミスなどを大幅に削減することができるようになった。
【図面の簡単な説明】
【図１】本発明の売買注文自動発注装置を備えた売買注文自動発注システムを示す図である。
【図２】本発明の売買注文自動発注処理を示すフローチャートである。
【図３】株式売買の株式買い注文を入力する画面の一例を示す図である。
【図４】図４は、注文処理の詳細を示すフローチャートである。
【図５】「条件指定」のコンボボックスの前項目と後項目の一覧とその組み合わせによる条件及び注意事項を示す図である。
【図６】トリガＤＢ１４に記憶されている基本オーダと条件オーダのパターンを示す図である。
【図７】本発明のトリガ処理を示すフローチャートである。
【図８】トリガ設定の変更画面を示す図である。
【符号の説明】
１０　　　売買注文自動発注装置
１１　　　電話応答部
１２　　　ネットワーク処理部
１３　　　制御部
１４　　　トリガＤＢ
１５　　　表示部
１６　　　入力部
１７　　　発注処理部
２０　　　コンピュータネットワーク
３０　　　電話回線網
４１、４２、４３　　顧客側端末
５０　　　売買システム
５１　　　発注ＤＢ
６０　　　市場
２１０　　銘柄情報入力部
２１１　　銘柄コード欄
２１２　　市場変更ボタン
２１３　　銘柄情報表示部
２１４　　情報更新ボタン
２２０　　注文情報入力部
２２１　　注文数量欄
２２２　　注文価格欄
２２３　　注文条件欄
２２４　　注文期日欄
【図１】
2004005554.tif 000003
【図２】
2004005554.tif 000004
【図３】
2004005554.tif 000005
【図４】
2004005554.tif 000006
【図５】
2004005554.tif 000007
【図６】
2004005554.tif 000008
【図７】
2004005554.tif 000009
【図８】
2004005554.tif 000010